(57)【特許請求の範囲】
【請求項１】
表示器と、表示器を保持するシャーシ部材と、前記シャーシ部材に固定される三脚座と、前記シャーシ部材に保持された表示器を覆う外装部材と、を具備する電子機器において、
前記三脚座には突起部が形成され、
前記シャーシ部材には、表示器の底面を支持する支持領域と、前記支持領域に対して折り曲げられることで前記表示器の側面を保持する壁部となる第１の領域と、前記シャーシ部材に前記三脚座を固定したときに前記突起部が挿通される孔部とが形成されるものであって、
前記突起部は、前記シャーシ部材に保持される前記表示器の表示面の高さよりも、前記外装部材に向けて突出することを特徴とする電子機器。
【請求項２】
前記突起部は前記シャーシ部材に固定されることで、前記突起部の側面が前記表示器の側面を保持することを特徴とする請求項１に記載の電子機器。
【請求項３】
前記シャーシ部材には、前記第１の領域とは反対方向に折り曲げられ、前記三脚座を保持する三脚座保持部を形成されることを特徴とする請求項１または２に記載の電子機器。
【請求項４】
前記外装部材は前記三脚座に固定されるものであって、前記外装部材と前記三脚座との間に前記三脚座保持部を挟んで固定されることを特徴とする請求項３に記載の電子機器。
【発明の詳細な説明】
【技術分野】
【０００１】
本発明は、表示器を有する電子機器に関する。
【背景技術】
【０００２】
近年、デジタルカメラ等の電子機器において、撮影された画像の確認や撮影条件等の各種情報表示を行う表示器（液晶、有機ＥＬなど）の大型化が求められる一方で、電子機器の小型化、薄型化が求められている。
【０００３】
表示器の大型化に伴い、表示器に対応する外装部材の開口部も大きくなるので  外装部材の開口部近傍の剛性が低下してしまい、この部分に力を加えると表示器を破損するおそれがある。また、電子機器の薄型化に伴って、外装部材と表示器の間隙も小さくなるので、電子機器に対して厚み方向の力を加えると表示器を破損するおそれがある。
【０００４】
そこで、表示器を保持するフレームの壁を外装部材に近接させることにより耐外圧性の向上を図るという技術が開示されている。（特許文献１参照）
【先行技術文献】
【特許文献】
【０００５】
【特許文献１】特開２００６−２５１２４１号公報
【発明の概要】
【発明が解決しようとする課題】
【０００６】
従来は、デジタルカメラ本体の小型化のために、三脚座を表示器の背面に配置し、三脚に取り付けた際の機械的強度を確保するために、シャーシ部材の一部を三脚座に向けて折曲加工を施して三脚座を保持することが考えられる。しかし、このように構成すると、シャーシ部材における三脚座に対応する位置に表示器の破損防止を目的とした壁部を設けることができなくなってしまうので、この部分で表示器を破損しやすくなってしまう。また、これを回避するために、補強プレート等を設けることも考えられるが、部品点数の増加によるコストアップとなってしまう。
【課題を解決するための手段】
【０００７】
本発明の電子機器は、表示器と、表示器を保持するシャーシ部材と、前記シャーシ部材に固定される三脚座と、前記シャーシ部材に保持された表示器を覆う外装部材と、を具備する電子機器において、前記三脚座には突起部が形成され、前記シャーシ部材には、表示器の底面を支持する支持領域と、前記支持領域に対して折り曲げられることで前記表示器の側面を保持する壁部となる第１の領域と、前記シャーシ部材に前記三脚座を固定したときに前記突起部が挿通される孔部とが形成されるものであって、前記突起部は、前記シャーシ部材に保持される前記表示器の表示面の高さよりも、前記外装部材に向けて突出することを特徴とする。
【発明の効果】
【０００８】
本発明の構成によれば、シャーシ部材の一部を三脚座に向けて折曲加工を施して三脚座保持部を形成したとしても、部品点数を増加させることなく、表示器の表示面を保護することが可能となる。
【図面の簡単な説明】
【０００９】
【図１】本発明を適用したデジタルカメラの分解斜視図である。
【図２】本発明を適用した保持部材の斜視図である。
【図３】表示部材を保持部材に設置した状態を示す図である。
【図４】図９におけるＸ−Ｘ断面図およびＹ−Ｙ断面図である。
【発明を実施するための形態】
【００１０】
図１は本発明の電子機器としてのデジタルカメラの分解斜視図である。外装部材である後カバー１０７には表示器１０８の表示面を保護する保護窓１１７が貼り付けられている。シャーシ部材２０１に表示器１０８を保持したのち、後カバー１０７がシャーシ部材２０１に固定される。このとき保護窓１１７が表示器１０８の表示面を覆うように位置する。三脚座１１６は突起部１１６−Ａがシャーシ部材２０１の孔部２０１−Ａ２を貫通するように、シャーシ部材２０１に取り付けられ、ビスで固定される。
【００１１】
図２はシャーシ部材２０１の構造を説明する図である。シャーシ部材２０１はデジタルカメラ内で、表示器１０８のほかに鏡筒ユニットや回路基板を保持する機能を有する。
【００１２】
シャーシ部材２０１はプレス加工にて打ち抜かれた金属板に対して折曲加工を施すことで形成されるものであって、図２は折曲加工を施した後のシャーシ部材２０１を図示したものである。シャーシ部材２０１は表示器１０８の底面を支持する支持領域２０１−Ａと、支持領域２０１−Ａから折り曲げられることで表示部１０８の側面を支持する壁部となる第１の領域２０１−Ａ１が形成される。また、シャーシ部材２０１には、三脚座１１６を固定するために、第１の領域２０１−Ａ１が折り曲げられる方向とは反対方向に折り曲げられることで形成される三脚座保持部２０１−Ａ３が形成される。さらに、シャーシ部材２０１には、孔部２０１−Ａ２が形成される。
【００１３】
図９は表示器１０８および三脚座１１６をシャーシ部材２０１に保持した状態を示す図である。図９（ａ）に図示されるように、第１の領域２０１−Ａ１によって形成される壁部が表示器１０８の側面と当接することで、表示器１０８はシャーシ部材２０１に保持されている。三脚座１１６は、三脚座１１６に形成された突起部１１６−Ａを孔部２０１−Ａ２に挿通して、図１に図示されるようにシャーシ部材２０１に固定される。三脚座１１６が固定されたシャーシ部材２０１に前カバー１０２を取り付ける際には、前カバー１０２を三脚座１１６にビス止めする。このとき、シャーシ部材２０１の三脚座保持部２０１−Ａ３を前カバー１０２と三脚座１１６との間に挟む構造になっている。図９（ａ）に図示されるように、孔部２０１−Ａ２の近傍には、表示部１０８の側面を支持する壁部となる第１の領域２０１−Ａ１が形成されていない。したがって、三脚座１１６がシャーシ部材２０１に固定されることで、図９（ｂ）に図示されるように、三脚座１１６の突起部１１６−Ａの側面が表示部１０８の側面と当接して、表示部１０８を保持する。
【００１４】
図４（ａ）は図３におけるＸ−Ｘ断面図であり、図４（ｂ）は図３におけるＹ−Ｙ断面図である。図４（ａ）に図示されるように、三脚座１１６の突起部１１６−Ａの突出高さＨ１は、表示器１０８の表示面よりもＬ１だけ高くなるように設定している。図４（ａ）において、矢印方向の力が与えられると、突起部１１６−Ａの上端が後カバー１０７に当接する。これによって、後カバー１０７に力が与えられたとしても、突起部１１６−Ａが後カバー１０７の変形を抑えることができる。よって、表示器１０８の表示面に大きな力が与えられることがなく、表示器１０８の破損を防ぐことが可能となる。図４（ｂ）に図示されるように、表示部１０８の側面を支持する壁部となる第１の領域２０１−Ａ１の突出高さＨ２は、表示器１０８の表示面よりもＬ２だけ高くなるように設定している。図４（ｂ）において、矢印方向の力が与えられると、第１の領域２０１−Ａ１の上端が後カバー１０７に当接する。これによって、後カバー１０７に力が与えられたとしても、第１の領域２０１−Ａ１が後カバー１０７の変形を抑えることができる。よって、表示器１０８の表示面に大きな力が与えられることがなく、表示器１０８の破損を防ぐことが可能となる。
【００１５】
したがって、シャーシ部材２０１に三脚座１１６を保持する三脚座保持部を形成することで、シャーシ部材２０１に壁部を設けることができない領域ができたとしても、三脚座１０８に設けた突起部１１６−Ａが後カバー１０７に与えられる力を受けることができる。したがって、後カバー１０７に力が与えられたとしても、突起部１１６−Ａが後カバー１０７の変形を抑えることができ、表示器１０８の表示面に大きな力が与えられることがなく、表示器１０８の破損を防ぐことが可能となる。
【符号の説明】
【００１６】
１０７  後カバー
１０８  表示器
１１６  三脚座
１１６−Ａ  突起部
２０１  シャーシ部材
２０１−Ａ  支持領域
２０１−Ａ１  第１の領域
２０１−Ａ２  孔部
【図１】
0005436168.tif 000002
【図２】
0005436168.tif 000003
【図３】
0005436168.tif 000004
【図４】
0005436168.tif 000005